(57)【要約】      （修正有）【課題】吸引法による舌清掃を、口腔内を傷つけることなく安全に行える舌清掃具を提供する。【解決手段】舌清掃具は、底壁２１、側壁２２および上壁２３からなり、底壁２１と上壁２３との間に開口２０を有するヘッド部２と、一端にヘッド部２の底壁２１が位置し、他端に吸引手段が接続される筒状部１とを備え、舌に付着した舌苔を吸引手段によってヘッド部２の開口２０から吸引する。舌清掃具のヘッド部２は、側壁２２が底壁２１および上壁２３と滑らかに連結し、底壁２１から上壁２３に向けてすぼまるように形成されている。【選択図】図１
0003173550.tif 000002
【実用新案登録請求の範囲】
【請求項１】
底壁、側壁および上壁からなり、前記底壁と前記上壁との間に開口を有するヘッド部と、一端に前記ヘッド部の前記底壁が位置し、他端に吸引手段が接続される筒状部とを備え、舌に付着した舌苔を前記吸引手段によって前記ヘッド部の前記開口から吸引するための舌清掃具であって、
前記ヘッド部は、前記側壁が前記底壁および前記上壁と滑らかに連結し、前記底壁から前記上壁に向けてすぼまるように形成されていることを特徴とする舌清掃具。
【請求項２】
前記開口は、前記筒状部の軸線に対して垂直方向を向き、前記開口の開口面は、前記底壁からに前記上壁に向けて前記軸線側に近づくように前記軸線に対して傾斜していることを特徴とする請求項１に記載の舌清掃具。
【請求項３】
前記ヘッド部の前記上壁に、前記開口と連通し、エアが通過するための貫通孔が形成されていることを特徴とする請求項１または請求項２に記載に記載の舌清掃具。
【請求項４】
前記ヘッド部は、正面視で台形形状に形成されていることを特徴する請求項１から請求項３のいずれか１項に記載の舌清掃具。
【考案の詳細な説明】
【技術分野】
【０００１】
本考案は、舌苔を吸引除去して舌を清掃するために用いる舌清掃具に関する。
【背景技術】
【０００２】
口臭には、肝疾患、糖尿病、消化器系疾患、鼻疾患などが原因となる全身由来の病的口臭と、歯周炎、不適合補綴物などが原因となる口腔由来の病的口臭とがある。このような病的口臭以外に、舌に付着している舌苔、歯牙に付着している汚れなどの生理的因子が、口臭の大きな原因となる。
【０００３】
なかでも舌苔は、口臭の原因物質である揮発性硫黄化合物（Volatile Sulfur Compounds; ＶＳＣ）の主な発生源である。よって、舌苔を除去して舌を清掃することは、口臭の予防・治療の最も一般的な方法である。
【０００４】
舌清掃は、患者自身がセルフケアとして行う場合と、歯科において専門的に行う場合とがある。患者自身のセルフケアよる舌苔除去には、手用の舌ブラシなどを用いる機械的除去や、酵素による生化学的除去がある。また、消毒剤の入った洗口薬も舌苔に起因する口臭に対して有用である。歯科における専門的清掃は、ブラシにより患者の舌を擦過することで舌苔を除去する方法であり、それ以外に特殊な方法は行われていなかった。
【０００５】
ブラシなどの器具により舌を擦過して舌苔を除去する場合、器具の舌粘膜への圧のかけ方によって、舌苔除去効果と舌刺激による侵襲の程度とに違いが生じてしまう。また、ブラシにより舌粘膜を加圧することにより、嘔吐反射しやすく、舌背の後方部を清掃することが困難である。そのため、舌清掃後に、舌背面の後方部において舌苔がＶＳＣの原因として残存することがあった。
【０００６】
そこで、歯科における新しい専門的舌清掃法として、吸引によって舌苔を除去する吸引法が試みられている。吸引法による舌清掃法では、粘膜表面を加圧することがなく、嘔吐反射が少ないため、舌背の後方部まで容易に清掃できる。実際に、吸引法による舌清掃の効果を、ＶＳＣの変動によって評価したところ良好な結果が得られている。また、通常は分界溝を越えて舌根部まで清掃することはないが、吸引法の場合、症例によっては舌扁桃の一部まで清掃が可能であった。
【０００７】
このように吸引法による舌清掃は、従来のブラシによる舌清掃と比較して、舌背後方の清掃が可能であり、粘膜への侵襲が少ないという長所があり、舌清掃の効果および安全性が高い。このように有用な吸引法を、歯科における専門的舌清掃としてだけでなく、家庭におけるセルフケアとして口腔内を傷つけることなく安全に行えることが好ましい。
【考案の概要】
【考案が解決しようとする課題】
【０００８】
本考案が解決しようする課題は、口腔内を傷つけることなく安全に吸引法による舌清掃を行える舌清掃具を提供することにある。
【課題を解決するための手段】
【０００９】
上記課題を解決するために、本考案に係る舌清掃具は底壁、側壁および上壁からなり、底壁と上壁との間に開口を有するヘッド部と、一端にヘッド部の底壁が位置し、他端に吸引手段が接続される筒状部とを備え、舌に付着した舌苔を吸引手段によってヘッド部の開口から吸引するための舌清掃具であって、
ヘッド部は、側壁が底壁および上壁と滑らかに連結し、底壁から上壁に向けてすぼまるように形成されていることを特徴とする。
【００１０】
好ましくは、開口は、筒状部の軸線に対して垂直方向を向き、開口の開口面は、底壁からに上壁に向けて軸線側に近づくように軸線に対して傾斜している。
【００１１】
好ましくは、ヘッド部の上壁に、開口と連通し、エアが通過するための貫通孔が形成されている。
【００１２】
好ましくは、ヘッド部は、正面視で台形形状に形成されている。
【考案の効果】
【００１３】
本考案に係る舌清掃具は、上記の構成を備えることにより、舌に付着した舌苔を吸引除去するヘッド部が、粘膜、咽頭を傷つけることがないエッジのない形状であって、舌背の後方部に付着した舌苔を吸引しやすい形状となっている。このようなヘッド部の外形によって、鏡を見なくても安全に舌清掃でき、吸引法による舌清掃を家庭におけるセルフケアとして安全に行える。
【図面の簡単な説明】
【００１４】
【図１】本考案に係る舌清掃具の図であって、（ａ）は正面図、（ｂ）は側面図、（ｃ）は平面図である。
【図２】本考案に係る舌清掃具の図であって、（ａ）はヘッド部の斜視図、（ｂ）は図１（ａ）のＡ−Ａ線断面図である。
【考案を実施するための形態】
【００１５】
以下、図面を参照して、本考案に係る舌清掃具（以下、単に舌清掃具という）の実施例について説明する。舌清掃具は、吸引装置（吸引手段）と共に用いて舌に付着した舌苔を吸引除去して、舌を清掃するためのものである。
【００１６】
舌清掃具は、図１に示されるように、縦長の筒状部１と、開口２０を有するヘッド部２とからなる。筒状部１とヘッド部２とは一体的に形成される。舌清掃具は、人体への為害作用がない材料からなり、例えばポリプロピレンなどの樹脂からなる。筒状部１は、中空の円筒形状である。筒状部１は、一端にヘッド部２が設けられ、他端に吸引装置の吸引ホース３を接続するための接続部１０が形成される。
【００１７】
ヘッド部２は、図１および図２に示されるように、底壁２１、側壁２２および上壁２３からなり、底壁２１と上壁２３との間に舌苔を吸引するための開口２０が形成される。ヘッド部２の底壁２１は筒状部１の端部に位置しており、筒状部１の内部とヘッド部２の開口２０とが連通している（図２）。
【００１８】
側壁２２は、エッジを有さず、横断面が略コ字状となるように湾曲した形状を有する。側壁２２は、底壁２１および上壁２３と滑らかに連結している。すなわち、側壁２２と、底壁２１および上壁２３との連結部分は、エッジが形成されることなく、湾曲形状となっており、底壁２１、側壁２２および上壁２３が滑らかに連続している。こうして、ヘッド部２はエッジのない形状となっている。
【００１９】
ヘッド部２は、底壁２１から上壁２３に向けてすぼまるように、図１ａに示すように、正面視で底壁２１を下底とし上壁２３を上底とする台形形状に形成されている。そして、ヘッド部２の開口２０も正面視で台形形状となっている。
【００２０】
図２ｂに示すように、底壁２１および上壁２３は筒状部１の軸線１１に対して垂直であって、開口２０は軸線１１に対して垂直方向を向く。そして、開口２０の開口面２０ａは、筒状部１の軸線１１と平行ではなく、軸線１１に対して所定の角度で傾斜している。開口面２０ａは、底壁２１から上壁２３に向けて軸線１１側に近づくように軸線１１に対して傾斜している。
【００２１】
ヘッド部１の上壁２３には、開口２０と連通し、エアが通過可能な貫通孔２４が形成されている。
【００２２】
上記構成の舌清掃具において、筒状部１の接続部１０を吸引装置の吸引ホース３の中空孔３０に差し込むことで（図１ａ）、舌清掃具を吸引ホース３に接続する。そして、吸引装置を作動すれば、ヘッド部２の開口２０に吸引力が発生する。舌清掃具のヘッド部２を口腔内に入れて、ヘッド部２の開口面２０ａを舌に当接させると、開口２０に発生した吸引力により舌に付着した舌苔を除去できる。
【００２３】
なお、舌清掃具の形状（例えば、ヘッド部２の大きさ、開口面２０ａの面積、筒状部１の内径など）は、口腔内に挿入しやすい大きさに、舌苔を吸引するのに適切した吸引力が得られるように設計される。
【００２４】
上記の舌清掃具は、歯科医院で用いられている吸引装置およびセルフケアのための家庭用吸引装置の双方に適用可能であり、どちらの吸引装置に適用しても、舌に付着した舌苔を吸引するのに適した吸引力が得られる。
【符号の説明】
【００２５】
１  筒状部
１０  接続部
１１  軸線
２  ヘッド部
２０  開口
２０ａ  開口面
２１  底壁
２２  側壁
２３  上壁
２４  貫通孔
３  吸引ホース
３０  中空孔
【図１】
0003173550.tif 000003
【図２】
0003173550.tif 000004
【手続補正書】
【提出日】平成23年11月29日(2011.11.29)
【手続補正１】
【補正対象書類名】実用新案登録請求の範囲
【補正対象項目名】請求項３
【補正方法】変更
【補正の内容】
【請求項３】
前記ヘッド部の前記上壁に、前記開口と連通し、エアが通過するための貫通孔が形成されていることを特徴とする請求項１または請求項２に記載の舌清掃具。